(57)【特許請求の範囲】
【請求項１】
スピニングリールのスプールを制動するドラグ機構を切り換えるドラグ切換装置であって、
揺動軸と、前記揺動軸の両端に一体揺動可能に設けられた操作部と、を有し、第１位置と前記第１位置から揺動した第２位置との間で揺動するドラグ切換レバーと、
前記ドラグ切換レバーが前記第１位置に操作されると前記ドラグ機構を作動可能状態にし、前記ドラグ切換レバーが前記第２位置に操作されると前記ドラグ機構を作動不能状態にする切換機構と、
を備え、
前記揺動軸は、一端に設けられた第１非円形部と、他端に設けられた第２非円形部と、を有し、
前記操作部は、レバー部と、前記レバー部からそれぞれが前記揺動軸の軸方向に別れて延びる第１揺動装着部及び第２揺動装着部と、を有し、
前記第１揺動装着部は、前記揺動軸の径方向外方から前記第１非円形部に係合可能な第１非円形凹部を有し、
前記第２揺動装着部は、前記揺動軸の径方向外方から前記第２非円形部に係合可能な第２非円形凹部を有し、
前記揺動軸は、前記一端の端面にのみネジ部材が螺合可能に形成されたネジ孔を有し、
前記第１非円形凹部は前記揺動軸の軸方向に貫通し、前記ネジ孔を外部に露出可能であり、
前記第２揺動装着部は、前記第２非円形凹部が形成された部分において、前記揺動軸の軸方向の外側面は塞がれている、
スピニングリールのドラグ切換装置。
【請求項２】
前記第１非円形部及び前記第２非円形部は、互いに平行な一対の直線部と、前記直線部の端部を連結する一対の連結部と、をそれぞれ有し、
前記第１非円形凹部及び前記第２非円形凹部は、前記直線部に係合しかつ前記第１揺動装着部及び前記第２揺動装着部の先端まで延びるスリットをそれぞれ有する、請求項１に記載のスピニングリールのドラグ切換装置。
【請求項３】
前記第１非円形凹部の軸方向の外側面には、前記ネジ部材の頭部を配置可能な凹んだ座面が形成されている、請求項１又は２に記載のスピニングリールのドラグ切換装置。
【請求項４】
請求項１から３のいずれか１項に記載の前記ドラグ切換装置を備える、スピニングリール。
【発明の詳細な説明】
【技術分野】
【０００１】
本発明は、釣り糸を前方に繰り出すスピニングリールのリール本体に装着されたスプールを制動する第１ドラグ機構の作動状態を切り換えるスピニングリールのドラグ切換装置及びドラグ切換装置を備えたスピニングリールに関する。
【背景技術】
【０００２】
スピニングリールには、スプールの糸繰り出し方向の回転を制動するドラグ機構が装着され、かつドラグ機構を制動状態と制動解除状態に切換可能なドラグ切換装置を有するものが従来知られている（例えば、特許文献１参照）。
【０００３】
従来のドラグ切換装置は、リール本体に制動状態に対応する制動位置と制動解除状態に対応する制動解除位置とに揺動自在に装着されたドラグ切換レバーを有している。従来のドラグ切換レバーは、揺動軸と、揺動軸の両端に一体揺動可能に連結される操作部と、を有している。操作部は、揺動軸の一端に連結される第１レバー部と、他端に連結される第２レバー部と、第１レバー部と第２レバー部とを連結する連結部材とを有している。
【０００４】
ドラグ切換レバーにおいて、操作部を揺動軸に組み込む時には、第１レバー部及び第２レバー部の基端を揺動軸にネジ部材により固定する。続いて、第１レバー部と第２レバー部の先端側の間に連結部材を装着し、第１レバー部からネジ部材を、連結部材を経て第２レバー部にねじ込む。これより、操作部が揺動軸に装着される。
【先行技術文献】
【特許文献】
【０００５】
【特許文献１】特開２０１０−２７９３３４号公報
【発明の概要】
【発明が解決しようとする課題】
【０００６】
従来のドラグ切換レバーでは、操作部を揺動軸に組み込むときには、第１レバー部及び第２レバー部の基端を揺動軸に固定する作業と、第１レバー部及び第２レバー部の先端を、連結部材を介して固定する作業が必要になる。このため、ドラグ切換レバーにおいて、操作部の部品点数が多くなり、操作部を揺動軸に取り付ける作業が複雑になる。
【０００７】
本発明の課題は、ドラグ切換レバーにおいて、操作部の部品点数を削減しかつ操作部を揺動軸に装着しやすくすることにある。
【課題を解決するための手段】
【０００８】
発明１に係るスピニングリールのドラグ切換装置は、釣り糸を前方に繰り出すスピニングリールのリール本体に装着されたスプールを制動する第１ドラグ機構の作動状態を切り換える。ドラグ切換装置は、ドラグ切換レバーと、切換機構と、を備えている。ドラグ切換レバーは、揺動軸と、操作部と、を有し、第１位置と第１位置から揺動した第２位置との間で揺動する。揺動軸は、リール本体に左右方向に沿って配置され、リール本体に回動自在に支持される。操作部は、第１端に配置されるレバー部、及びレバー部と一体形成されレバー部から２つに分かれてリール本体の外側面に沿って第１端と逆側の第２端に向かって延び、揺動軸に一体揺動可能に装着される第１揺動装着部及び第２揺動装着部を第２端に有している。切換機構は、ドラグ切換レバーが第１位置に配置されると第１ドラグ機構を作動可能状態にし、ドラグ切換レバーが前記第２位置に配置されると第１ドラグ機構を作動不能状態にする。揺動軸は、一端に設けられる第１非円形部と、他端に設けられる第２非円形部と、を有している。第１揺動装着部は、揺動軸の径方向外方から第１非円形部に係合可能な第１非円形凹部を有し、第２揺動装着部は、揺動軸の径方向外方から第２非円形部に係合可能な第２非円形凹部を有している。
【０００９】
このスピニングリールのドラグ切換装置では、ドラグ切換レバーを第１位置に配置すると、第１ドラグ機構が作動可能になり、第２位置に揺動させると第１ドラグ機構が作動不能になる。ドラグ切換レバーの操作部は、レバー部と、レバー部と一体形成された第１揺動装着部及び第２揺動装着部を有している。このため、操作部は一つの部材で構成され、操作部の部品点数を削減できる。
【００１０】
また、操作部を揺動軸に装着するときには、操作部の第１揺動装着部に設けられる第１非円形凹部を揺動軸の一端に形成された第１非円形部に係合させ、操作部の第２揺動装着部を揺動軸の他端に形成された第２非円形部に係合させるだけでよい。このため、操作部を揺動軸に装着しやすくなる。
【００１１】
ここでは、操作部を一つの部材で構成できるので操作部の部品点数を削減できる。また、操作部の第１非円形凹部及び第２非円形凹部を揺動軸の第１非円形部及び第２非円形部に係合させるだけで操作部を揺動軸に装着できるので、操作部を揺動軸に装着しやすくなる。これにより、部品コスト及び組み立てコストを削減できる。
【００１２】
発明２に係るスピニングリールのドラグ切換装置は、発明１に記載の切換装置において、第１非円形部及び第２非円形部は、互いに平行な一対の直線部と、直線部の端部を連結する一対の連結部と、をそれぞれ有している。第１非円形凹部及び第２非円形凹部は、直線部に係合しかつ第１揺動装着部及び第２揺動装着部の第２端の端部まで延びるスリットをそれぞれ有している。
【００１３】
この場合には、第１揺動装着部及び第２揺動装着部は、第２端部に延びるスリットをそれぞれ有している。これにより、軸方向外方から揺動軸に向けて第１揺動装着部及び第２揺動装着部をスライドさせることにより、第１非円形部及び第２非円形部に第１揺動装着部及び第２揺動装着部を各別に係合させることができる。このため、操作部を揺動軸にさらに容易に装着できる。
【００１４】
発明３に係るスピニングリールのドラグ切換装置は、発明１又は２に記載の切換装置において、揺動軸は、前記一端の端面にネジ部材が螺合可能に形成されたネジ孔を有している。第１非円形凹部は貫通しており、ネジ孔を外部に露出可能である。この場合には、ネジ部材により操作部を揺動軸に容易に固定できる。
【００１５】
発明４に係るスピニングリールのドラグ切換装置は、発明３に記載の切換装置において、第１非円形凹部の軸方向の外側面には、ネジ部材の頭部を配置可能な凹んだ座面が形成される。この場合には、ネジ部材の頭部が座面に収納されて軸方向外方に突出しない。このため、釣り糸がネジ部材の頭部に引っ掛からない。
【００１６】
発明５に係るスピニングリールは、発明１から４のいずれかに記載のドラグ切換装置を備えている。この場合には、発明１から４の作用効果を奏するスピニングリールを提供できる。
【発明の効果】
【００１７】
本発明によれば、操作部を一つの部材で構成できるので操作部の部品点数を削減できる。また、操作部の第１非円形凹部及び第２非円形凹部を揺動軸の第１非円形部及び第２非円形部に係合させるだけで操作部を揺動軸に装着できるので、操作部を揺動軸に装着しやすくなる。これにより、ドラグ切換レバーの部品コスト及び組み立てコストを削減できる。
【図面の簡単な説明】
【００１８】
【図１】本発明の一実施形態を採用したスピニングリールの側面一部断面図。
【図２】リール本体後部の断面図。
【図３】図１のIII−III断面図。
【図４】リアドラグ機構及びドラグ切換装置の分解斜視図。
【図５】ドラグ切換レバーを第１非円形部側から見た斜視部分図。
【図６】ドラグ切換レバーを第２非円形部側から見た斜視部分図。
【発明を実施するための形態】
【００１９】
＜全体構成＞
図１において、本発明の一実施形態を採用したスピニングリールは、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００２０】
リール本体２は、図１及び図３に示すように、各種の機構が装着されるリールボディ２ａと、リールボディ２ａに着脱自在に装着されリールボディ２ａとの間で各種の機構を収納する機構収納空間を形成し得る蓋部材２ｂとを有している。
【００２１】
リールボディ２ａは、例えばアルミニウム合金等の金属製又は合成樹脂製の部材である。蓋部材２ｂは、例えばアルミニウム合金等の金属製の部材である。リールボディ２ａ又は蓋部材２ｂ（この実施形態では、リールボディ２ａ）には、前後に延びるＴ字形の釣り竿装着部２ｃ（図１）が上部に一体形成されている。
【００２２】
図３に示すように、リールボディ２ａの後部外側面には、第１支持孔２ｆを有する凹んだ第１レバー座面２ｉが形成されている。蓋部材２ｂの後部外側面には、第１支持孔２ｆと同芯に配置される第２支持孔２ｇを有する第２レバー座面２ｊが第１レバー座面２ｉと平行に凹んで形成されている。第１レバー座面２ｉ及び第２レバー座面２ｊの第１支持孔２ｆ及び第２支持孔２ｇの周囲は、他の部分より軸方向外側に僅かに突出している。これにより、後述するドラグ切換レバー６８との摩擦面が小さくなり、ドラグ切換レバー６８の揺動操作が重くならない。
【００２３】
機構収納空間内には、ロータ３をハンドル１の回転に連動して回転させるロータ駆動機構５と、スプール４を前後に移動させて釣り糸を均一に巻き取るためのオシレーティング機構６と、スプール４を制動するリアドラグ機構７とリアドラグ機構７より強い制動力でスプール４を制動するフロントドラグ機構（第１ドラグ機構の一例）８とを切り換えるドラグ切換装置９と、が設けられている。
【００２４】
ロータ駆動機構５は、図１及び図２に示すように、ハンドル１が一体回転可能に装着されたハンドル軸１０と、ハンドル軸１０とともに回転するフェースギア１１と、フェースギア１１に噛み合うピニオンギア１２とを有している。フェースギア１１は、フェースギア軸１１ａと一体又は別体に形成されている。フェースギア軸１１ａの左右の端部のいずれかには、ハンドル１のハンドル軸１０がねじ込み固定されている。フェースギア軸１１ａは、リールボディ２ａ及び蓋部材２ｂに図示しない軸受により回転自在に支持されている。ピニオンギア１２は内部にスプール軸１５が貫通可能に筒状に形成されている。ピニオンギア１２の前部１２ａは、ロータ３の中心部を貫通しており、ナット１３によりロータ３と固定されている。ピニオンギア１２は、その軸方向の中間部と後端部とが、それぞれ軸受１８及び軸受１９を介してリールボディ２ａに回転自在に支持されている。
【００２５】
オシレーティング機構６は、スプール軸１５を前後方向に移動させてスプール４を同方向に移動させるための機構である。スプール軸１５の先端には、スプール４がフロントドラグ機構８を介して連結されている。オシレーティング機構６は、フェースギア軸１１ａに設けられた駆動ギア１４を介して回転が伝達される。フェースギア軸１１ａは、フェースギア１１と一体形成され、例えばねじ込み式のハンドル軸１０が一体回転可能に連結されている。
【００２６】
オシレーティング機構６は、フェースギア軸１１ａに配置された駆動ギア１４に噛み合うカムギア２０と、カムギア２０により前後移動するスライダ２１とを有している。駆動ギア１４は、フェースギア軸１１ａに一体又は別体で配置され、フェースギア軸１１ａと一体回転する。駆動ギア１４は、例えば２葉の非円形ギアである。このスライダ２１にスプール軸１５が回転自在かつ軸方向移動不能に連結されている。スライダ２１の第２面（図２の紙面奥側の面）には、扁平Ｓ字状の溝で構成されるカム受け部２１ａが形成されている。
【００２７】
カムギア２０は、フェースギア軸１１ａより釣り竿装着部２ｃから離反し、かつフェースギア軸１１ａより後方に配置されている。カムギア２０は、例えば４葉の非円形ギアである。カムギア２０は、フェースギア軸１１ａと平行な第２軸Ｘ２回りに回転自在にリールボディ２ａの内側面に突出して形成されたギア軸２ｄに装着されている。カムギア２０は、スライダ２１のカム受け部２１ａに係合するカム突起２０ａを第１面（図２紙面手前側の面）に有している。カムギア２０の第１面と逆側の第２面には、後述するリターン機構７０の押圧部材８３を装着するための概ね円形に突出する部材装着部２０ｂが形成されている。部材装着部２０ｂについては、リターン機構７０において説明する。
【００２８】
ロータ３は、図１に示すように、円筒部３０と、円筒部３０の後端に一体形成され円筒部３０と間隔を隔てて前方に延びる第１ロータアーム３１及び第２ロータアーム３２と、を有している。第１ロータアーム３１及び第２ロータアーム３２の先端には、糸巻取姿勢と糸開放姿勢とに揺動自在にベールアーム３３が装着されている。ベールアーム３３は、ロータ３の回転によりスプールに釣り糸を案内して巻き付けるために設けられている。
【００２９】
ロータ３の円筒部３０の内部には、ロータ３の逆転を禁止・解除するための逆転防止機構６６が配置されている。逆転防止機構６６をローラ型のワンウェイクラッチを有している。リール本体２の前部下面に揺動自在に装着された切換レバー６７によりワンウェイクラッチを作用状態と非作用状態とに切り換えることにより、ロータ３の逆転を禁止及び許可する。
【００３０】
スプール４は、ロータ３の第１ロータアーム３１と第２ロータアーム３２との間に配置されている。スプール４は、スプール軸１５の先端に回転自在に装着され、フロントドラグ機構８を介してスプール軸１５に連結されている。スプール４は、外周に釣り糸が巻かれる糸巻胴部４ａと、糸巻胴部４ａの後部に一体で形成されたスカート部４ｂと、糸巻胴部４ａの前端に一体で形成されたフランジ部４ｃとを有している。糸巻胴部４ａの内部には、後述するフロント摩擦部４２が収納される円形のドラグ収納凹部４ｄが設けられている。スプール４は、フロントドラグ機構８及びフロントドラグ機構８より制動力が弱いリアドラグ機構７により択一的に制動される。
【００３１】
＜フロントドラグ機構の構成＞
フロントドラグ機構８は、スプール軸１５の先端に設けられている。フロントドラグ機構８は、スプール軸１５に螺合するドラグ力調整用のフロントドラグつまみ４１と、フロントドラグつまみ４１により押圧されるフロント摩擦部４２とを有している。フロントドラグつまみ４１は、スプール軸１５に螺合するナット４３が一体回転可能かつ軸方向移動自在に装着されたつまみ本体４４と、つまみ本体４４に回転自在かつ軸方向移動不能に係止されスプール軸１５に対して一体回転可能な押圧部４５とを有している。この押圧部４５がフロント摩擦部４２に接触してスプール４を制動する。ナット４３と押圧部４５との間のスプール軸１５の外周側には、コイルバネ４６が圧縮状態で配置されている。
【００３２】
フロント摩擦部４２は、例えば第１ドラグ座金４２ａ、第２ドラグ座金４２ｂ、及び第３ドラグ座金４２ｃ、を有している。第１ドラグ座金４２ａは、押圧部４５に接触して配置され、例えばスプール軸１５に一体回転可能に連結されている。第２ドラグ座金４２ｂは、例えばスプール４に一体回転可能に連結されている。第３ドラグ座金４２ｃは、例えばスプール軸１５に一体回転可能に連結されている。第１ドラグ座金４２ａと第２ドラグ座金４２ｂの間、第２ドラグ座金４２ｂと第３ドラグ座金４２ｃとの間、及び第３ドラグ座金４２ｃとドラグ収納凹部４ｄの壁部との間には、例えばグラファイト又はフェルトや製のドラグディスク４２ｄが配置されている。
【００３３】
＜リアドラグ機構の構成＞
リアドラグ機構７は、フロントドラグ機構８より制動力が弱いドラグ機構であり、主にキャスティング時に生き餌を泳がすときなどに使用される。リアドラグ機構７は、図２及び図４に示すように、スプール軸１５の後部１５ａに設けられている。リアドラグ機構７は、リール本体２に螺合するドラグ力調整用のリアドラグつまみ５０と、スプール軸１５の後部１５ａに一体回転可能かつ軸方向移動自在に装着された筒状部材５１と、筒状部材５１の後部外周面に一体回転可能に装着されたクリックギア５２と、クリックギア５２の両側に接触する第４ドラグ座金５３ａ、及び第５ドラグ座金５３ｂ及び第６ドラグ座金５３ｃと、を有している。
【００３４】
リアドラグつまみ５０は、リールボディ２ａの後面に形成された装着孔２ｅに回転自在かつ軸方向移動不能に装着されている。リアドラグつまみ５０は、装着孔２ｅに回転自在に装着されたつまみ本体６０と、つまみ本体６０の内周面に螺合するナット部材６１とを有している。つまみ本体６０は有底筒状の部材であり、後面に直径方向に沿って直線的に突出するつまみ部６０ａが形成されている。つまみ本体６０の内周面には、ナット部材６１に螺合する雌ネジ部６０ｂが形成されている。つまみ本体６０は、装着孔２ｅの内側面に装着された抜け止め部材６０ｃにより抜け止めされている。
【００３５】
ナット部材６１は、有底筒状の部材であり、外周面につまみ本体６０の雌ネジ部６０ｂに螺合する雄ネジ部６１ａを外周面に有している。ナット部材６１の前端面には、１対の係止スリット６１ｂが形成されている。係止スリット６１ｂは、リールボディ２ａに回り止めされた第６ドラグ座金５３ｃに係合する。これにより、ナット部材６１はリールボディ２ａに対して回転不能である。第６ドラグ座金５３ｃは、筒状部材５１の後部に装着されており、図４に示すように、リールボディ２ａの内面に係止される第１係止片５３ｄと、ナット部材６１の係止スリット６１ｂに係合する１対の第２係止片５３ｅと、を有している。ナット部材６１の内周側には、コイルバネ６２が収納されている。
【００３６】
コイルバネ６２は、ドラグ力調整よりのバネであり、ナット部材６１の底面に装着されたバネ受け座金６３と第６ドラグ座金５３ｃの後面との間に圧縮状態で配置されている。
【００３７】
筒状部材５１は、リアドラグ機構７を構成するとともにドラグ切換装置９を構成する。筒状部材５１は、図２、図３及び図４に示すように、リールボディ２ａの後部に設けられた板状の装着部２ｈに形成された段差付きの貫通孔２ｋに前方への移動規制された状態で回転自在に装着されている。また、筒状部材５１は、コイルバネ６２により押圧された第４ドラグ座金５３ａ、第５ドラグ座金５３ｂ及び第６ドラグ座金５３ｃにより後方への移動も規制されている。したがって、筒状部材５１は、リール本体２に対して前後移動不能である。
【００３８】
筒状部材５１は、図４に示すように、スプール軸１５の後部１５ａに形成された互いに平行に対向する面取り部１５ｂに一体回転可能かつスプール軸１５に対して軸方向移動自在に装着されている。筒状部材５１の内周面には、面取り部１５ｂに係合する長孔５１ａが形成されている。筒状部材５１は、前側に形成された第１支持部５１ｂと、第１支持部５１ｂより大径に形成された鍔部５１ｃと、鍔部５１ｃより小径に形成された第２支持部５１ｄとを有している。第１支持部５１ｂ及び第２支持部５１ｄには、互いに平行に形成された面取り部５１ｅが形成されている。鍔部５１ｃは、貫通孔２ｋの段差に接触しており、これにより筒状部材５１の前方への移動が規制されている。前側の第１支持部５１ｂには、ドラグ切換装置９を構成する回転部材５４が一体回転可能に装着されている。後側の第２支持部５１ｄには、第４ドラグ座金５３ａ、クリックギア５２、及び第５ドラグ座金５３ｂが装着されている。このうち、クリックギア５２は、筒状部材５１に一体回転可能に連結されている。
【００３９】
クリックギア５２には、リアドラグ機構７の作動時（スプール軸１５が回転するとき）に発音する図示しない音出しバネの先端が接触している。クリックギア５２は、スプール軸１５と一体回転するリアドラグ機構７のドラグ座金としても機能する。
【００４０】
第４ドラグ座金５３ａ、及び第５ドラグ座金５３ｂは、リールボディ２ａ及びスプール軸１５に対して回転自在に装着されている。第６ドラグ座金５３ｃは、スプール軸１５に回転自在かつリールボディ２ａに回転不能に係止されている。また、前述したようにナット部材６１を回り止めする。
【００４１】
＜ドラグ切換装置の構成＞
ドラグ切換装置９は、図２、図３及び図４に示すように、図２に実線で示すロック位置（第１位置の一例）と二点鎖線で示す解除位置（第２位置の一例）とに揺動自在にリール本体２に装着されたドラグ切換レバー６８と、切換機構６９と、解除位置にあるドラグ切換レバー６８をロック位置に戻すリターン機構７０とを有している。
【００４２】
＜ドラグ切換レバーの構成＞
ドラグ切換レバー６８は、図２及び図４に示すように、トグルバネ７３によりロック位置と解除位置とに振り分けて付勢されている。ドラグ切換レバー６８は、リール本体２の上後部でスプール軸１５と食い違う第１軸Ｘ１回りに図２に実線で示すロック位置と２点鎖線で示す解除位置とに揺動自在に装着されている。第１軸Ｘ１は、フェースギア軸１１ａに平行に配置される。第１軸Ｘ１は、フェースギア軸１１ａより釣り竿装着部２ｃに接近し、かつフェースギア軸１１ａより後方でフェースギア軸１１ａと平行に配置されている。ドラグ切換レバー６８は、図３に示すように、リール本体２の上後部に第１軸Ｘ１に沿って配置された揺動軸７６と、揺動軸７６の両端に一体揺動可能に設けられた操作部７７と、第２アーム部７８と、を有している。第２アーム部７８は、揺動軸７６に一体形成され、揺動軸７６と一体回動可能である。第２アーム部７８は、図２に示すように、ロック部材７２を係止位置から離反位置に押圧可能である。
【００４３】
＜揺動軸の構成＞
揺動軸７６は、例えば、ステンレス合金又はアルミニウム合金等の金属製の部材である。揺動軸は、図３及び図４に示すように、第２アーム部７８及びバネ掛けアーム７９が一体形成された大径部７６ａと、大径部７６ａの両側に形成された第１小径部７６ｂ及び第２小径部７６ｃとを有している。第２アーム部７８は、回転部材５４をロック及びロック解除するロック部材７２を下方に押圧するアームである。バネ掛けアーム７９は、トグルバネ７３の第１端を係止するものであり、前方に突出して形成されている。第２アーム部７８はバネ掛けアーム７９と逆側、つまり後方に突出して形成されている。大径部７６ａの第１小径部７６ｂ側の外周面には、第１小径部７６ｂの外周面に対向する位置まで延びる規制突起７６ｄが形成されている。規制突起７６ｄは、ドラグ切換レバー６８がロック位置から解除位置に操作されたとき、後述する第１アーム部８２をドラグ切換レバー６８と連動して揺動させるために設けられている。
【００４４】
図３に示すように、第１小径部７６ｂは、図３の右側の小径部分であり、リールボディ２ａの第１支持孔２ｆに支持されている。第１小径部７６ｂは、先端に操作部７７を一体的に揺動させるための第１非円形部７６ｅを有している。第１非円形部７６ｅは、それぞれ互いに平行な一対の直線部７６ｇと、直線部７６ｇの端部を連結する一対の連結部７６ｈと、を有している。第１小径部７６ｂは、大小二段の段付き軸であり、その小径側の部分に第１アーム部８２が回動自在に装着されている。また、第１小径部７６ｂの大径側の部分の外周面には、捩りコイルバネ８０が配置されている。捩りコイルバネ８０は、第１端が規制突起７６ｄに係止され、第２端が第１アーム部８２に係止されている。第１小径部７６ｂは、操作部７７を揺動軸７６に固定するためのネジ部材８６が螺合可能に端面に形成されたネジ孔７６ｉを有する。第１非円形部７６ｅは、第１レバー座面２ｉから突出して配置される。第２非円形部７６ｆは、第２レバー座面２ｊから突出して配置される。
【００４５】
第２小径部７６ｃは、図３左側の小径部分であり、蓋部材２ｂの第２支持孔２ｇに支持されている。第２小径部７６ｃは、先端に操作部７７を一体的に揺動させるための互いに対向して平行に形成された第２非円形部７６ｆを有している。第２非円形部７６ｆは、第１非円形部７６ｅと同様に、互いに平行な一対の直線部７６ｇと、直線部７６ｇの端部を連結する一対の連結部７６ｈと、を有している。
【００４６】
＜操作部の構成＞
操作部７７は、図１、図３及び図４に示すように、先端（第１端の一例）に配置されるレバー部７７ａと、基端（第２端の一例）配置される第１揺動装着部７７ｂ及び第２揺動装着部７７ｃと、を有している。レバー部７７ａと第１揺動装着部７７ｂ及び第２揺動装着部７７ｃは一体成形される、例えば亜鉛合金等の金属製の部材である。
【００４７】
レバー部７７ａは、リール本体２の後部より幅が狭くかつ先端に向かって僅かに幅広になるように形成されている。第１揺動装着部７７ｂおよび第２揺動装着部７７ｃは、図５及び図６に示すように、レバー部７７ａから２つに分かれてリール本体２の外側面に沿って基端に向かって延びている。第１揺動装着部７７ｂおよび第２揺動装着部７７ｃは、揺動軸７６に一体揺動可能に装着される。第１揺動装着部７７ｂは、揺動軸７６の径方向外方から第１非円形部７６ｅに係合可能な第１非円形凹部７７ｄを有する。第２揺動装着部７７ｃは、揺動軸７６の径方向外方から第２非円形部７６ｆに係合可能な第２非円形凹部７７ｅを有している。第１非円形凹部７７ｄ及び第２非円形凹部７７ｅは、直線部７６ｇに係合しかつ第１揺動装着部７７ｂ及び第２揺動装着部７７ｃの基端まで延びる第１スリット７７ｆ及び第２スリット７７ｇを各別に有している。第１非円形凹部７７ｄは、貫通しており、ネジ部材８６が螺合するネジ孔７６ｉを外部に露出可能である。軸方向の外側面には、ネジ部材８６の頭部を配置可能な凹んだ座面７７ｈが形成されている。
【００４８】
＜切換機構の構成＞
切換機構６９は、図２及び図３に示すように、ドラグ切換レバー６８がロック位置に配置されるとフロントドラグ機構８を作動可能状態にし、ドラグ切換レバー６８が解除位置に配置されるとフロントドラグ機構８を作動不能状態にする。また、切換機構６９は、ドラグ切換レバー６８がロック位置に配置されるとリアドラグ機構７を作動不能状態にし、ドラグ切換レバー６８が解除位置に配置されるとリアドラグ機構７を作動可能状態にする。切換機構６９は、筒状部材５１と、回転部材５４と、ドラグ切換レバー６８に連動して上下するロック部材７２と、引張バネ８１と、を有している。
【００４９】
回転部材５４は、円板状の部材である。回転部材５４は、スプール軸１５に対して一体回転可能かつリール本体２に対して前後移動不能となるように筒状部材５１の外周面に一体回転可能に装着されている。回転部材５４は、筒状部材５１を介してスプール軸１５を回転不能にロック及び回転自在にロック解除する部材である。回転部材５４は、周方向に間隔を隔てて配置された複数の係合部５４ａを有している。係合部５４ａは、外周部から凹んで形成されている。また、内周部に筒状部材５１の第１支持部５１ｂの面取り部５１ｅに一体回転可能に係止される長孔５４ｂを有している。回転部材５４は、ロック部材７２が係合及び離反する部材である。回転部材５４は、ロック部材７２が係合すると回転不能にロックされ、ロック部材７２が離反すると回転自在にロック解除される。
【００５０】
ロック部材７２は、図３に示すように、回転部材５４を回転不能に係止する実線で示す係止位置と、回転可能に係止解除する二点鎖線で示す離反位置とに昇降する。ロック部材７２は、縦辺７２ａと横辺７２ｂとを有する概ねＬ字状の板状部材であり、リールボディ２ａに昇降自在に案内されている。ロック部材７２の横辺７２ｂには上方に突出する係止突起７２ｃが形成されている。係止突起７２ｃは、係止位置で回転部材５４の係合部５４ａに係合する。
【００５１】
引張バネ８１は、第１端がリールボディ２ａに係止されている。引張バネ８１は、ロック部材７２を係止位置に向けて付勢する。
【００５２】
ロック部材７２は、図３に示すように、ドラグ切換レバー６８がロック位置から解除位置に操作されると、第２アーム部７８により押圧されて下方に移動し、係止突起７２ｃが係合部５４ａから離反して離反位置に配置される。これにより、回転部材５４が回転自在になり、筒状部材５１を介してスプール軸１５が回転自在になる。この結果、フロントドラグ機構８が作動不能状態になり、リアドラグ機構７が作動可能状態になる。
【００５３】
また、ドラグ切換レバー６８が解除位置からロック位置に操作されると、ロック部材７２は、第２アーム部７８による押圧が解除され引張バネ８１によって上方に付勢され、係止突起７２ｃが係合部５４ａに係合する。これにより、回転部材５４が回転不能になり、筒状部材５１を介してスプール軸１５が回転不能になる。この結果、フロントドラグ機構８が作動可能状態になり、リアドラグ機構７が作動不能状態になる。
【００５４】
トグルバネ７３は、図２に示すように、第１端がバネ掛けアーム７９に係止され第２端がリールボディ２ａに係止されている。トグルバネ７３は、第１軸Ｘ１と第２端とを結ぶ線が第１端を通る死点を挟んでドラグ切換レバー６８をロック位置と解除位置とに振り分けて付勢する。ドラグ切換レバー６８は、ロック位置及び解除位置でリール本体２により位置決めされる。
【００５５】
＜リターン機構の構成＞
リターン機構７０は、ハンドル１の糸巻取方向に回転に連動してドラグ切換レバー６８を解除位置からロック位置に戻す機構である。リターン機構７０は、図２、図３、及び図４に示すように、ドラグ切換レバー６８に装着された第１アーム部８２と、前述したカムギア２０と、カムギア２０に装着された押圧部材８３と、押圧部材８３を付勢する押圧バネ８４と、を有している。押圧バネ８４は、例えば湾曲して配置されたコイルバネである。
【００５６】
第１アーム部８２は、図２、図３及び図４に示すように、揺動軸７６の第１小径部７６ｂに回動自在に装着され、揺動軸７６から径方向に延びる板状のアーム部材である。第１アーム部８２は、捩りコイルバネ８０により、図２の反時計回りに付勢されている。第１アーム部８２は、通常は、捩りコイルバネ８０に付勢されて規制突起７６ｄに接触する規制姿勢をとる。捩りコイルバネ８０は、ドラグ切換レバー６８が解除位置からロック位置に操作されたとき第１アーム部８２が規制姿勢を保持し、第１アーム部８２をドラグ切換レバー６８と連動して揺動させるために設けられている。第１アーム部８２は、ドラグ切換レバー６８がロック位置と解除位置とに揺動すると、規制突起７６ｄと捩りコイルバネ８０の作用により、揺動軸７６と連動してロック位置と解除位置とに揺動する。第１アーム部８２は、ドラグ切換レバー６８を解除位置からロック位置に向けて手で操作したとき、後述する押圧部材８３に第１アーム部８２の先端が接触してもドラグ切換レバー６８をロック位置に配置できるようにするために、規制突起７６ｄから離反する方向に回動できるようになっている。
【００５７】
カムギア２０は、第２面（図２の紙面奥側の面）に押圧部材８３を装着する部材装着部２０ｂを有している。また、カムギア２０は、中心にギア軸２ｄに支持される支持孔２０ｃを有している。
【００５８】
押圧部材８３は、部材装着部２０ｂに所定角度回動自在に装着された板状の部材である。押圧部材が外周部に周方向に間隔を隔てて複数（例えは４つ）の押圧突起８３ａを有している。押圧突起８３ａは、径方向に沿って配置された平坦面と、末広がりの曲面とで構成された鋸刃形状に形成されている。押圧部材８３は、押圧バネ８４により図２時計回りに付勢されかつカムギア２０に所定の回動範囲に回動可能に装着されている。
【００５９】
＜リールの操作及び動作＞
キャスティング前には切換レバー６７を操作して逆転防止機構６６によりロータ３を逆転禁止状態にする。また、手でベールアーム３３を持ってベールアーム３３を糸開放姿勢に反転させる。さらに、ドラグ切換レバー６８を図２に実線で示すロック位置から２点鎖線で示す解除位置側に揺動させる。
【００６０】
ドラグ切換レバー６８を解除位置側に揺動させると、第２アーム部７８によりロック部材７２が押圧されて離反位置に向けて下方に移動する。そして、トグルバネ７３の死点を超えると、ドラグ切換レバー６８が解除位置に向けて付勢され解除位置で保持される。また、ドラグ切換レバー６８に一体形成された第２アーム部７８が解除位置に保持され、ロック部材７２が離反位置で保持される。この結果、回転部材５４が回転自在になってフロントドラグ機構８が作動不能状態になり、リアドラグ機構７が作動可能状態になる。これにより、弱いドラグ力がスプール４に付与される。また、リターン機構７０では、第１アーム部８２の揺動により、第１アーム部８２の先端が押圧部材８３の押圧突起８３ａに接近する位置に配置される。
【００６１】
このドラグ切換レバー６８の解除位置からロック位置への操作中に押圧部材８３の停止位置によっては、第１アーム部８２の先端が押圧突起８３ａに接触することがある。このような場合、フェースギア軸１１ａは、糸繰り出し方向の回転が逆転防止機構６６により禁止されている。このため、カムギア２０は、糸繰り出し方向（図２の反時計回りの方向）には回転できない。しかし、押圧部材８３は、押圧バネ８４により押圧されているがそれより強い力が作用すれば反時計回りに回動できる。このため、第１アーム部８２により押圧されると、押圧部材８３は反時計回りに回動する。ドラグ切換レバー６８がロック位置からその後方の解除位置に操作されると、第１アーム部８２が押圧部材８３に接触してもドラグ切換レバー６８を解除位置に操作できる。
【００６２】
リアドラグ機構７のドラグ力の調整は、例えば、釣り場の風や水流に合わせて行われる。リアドラグつまみ５０を例えば、時計回りに回転させると、コイルバネ６２の圧縮力が強くなり、ドラグ力が強くなる。すなわち、リアドラグつまみ５０を時計回りに回転させると、ナット部材６１が図２左方に進出し、コイルバネ６２を圧縮する。コイルバネ６２が圧縮されると、第４ドラグ座金５３ａ及び第５ドラグ座金５３ｂに対する押圧力が強くなり、スプール軸１５と一体回転するクリックギア５２が強く制動される。この結果、筒状部材５１を介してスプール軸１５を制動するドラグ力が強くなる。逆にリアドラグつまみ５０を反時計回りに回転させるとドラグ力が弱くなる。
【００６３】
これらの操作が終わると、キャスティングを行う。キャスティングが終わるとベールアーム３３を手で糸巻取姿勢に戻し、魚の当たりを待つ。魚が仕掛けにかかると、スプール４が逆転する。スプール４が逆転すると、ドラグ切換レバー６８が解除位置にあるので、スプール軸１５とともにクリックギア５２が回転して発音する。
【００６４】
魚のくいを確認して合わせるときには、ハンドル１を糸巻取方向に回転する。すると、リターン機構７０の押圧部材８３が第１アーム部８２を押圧し、ドラグ切換レバー６８を解除位置からロック位置の方向に押圧する。そしてトグルバネ７３の死点を超えるとロック位置に保持される。ロック位置に保持されると、ロック部材７２が回転部材５４に係合し、筒状部材５１を介してスプール軸１５が回転不能にロックされる。このため、リアドラグ機構７が作動不能状態になり、フロントドラグ機構８が作動可能状態になり、スプール４に強いドラグ力が作動する。
【００６５】
＜ドラグ切換レバーの装着手順＞
ドラグ切換レバー６８の操作部７７を揺動軸７６に装着する場合、揺動軸７６をロック位置に配置し、第１非円形部７６ｅの直線部７６ｇを垂直方向に向けておく。続いて、操作部７７を揺動軸７６の軸方向外方から揺動軸７６に装着する。このとき、第１非円形部７６ｅの直線部７６ｇに操作部７７の第１スリット７７ｆを係合させ、第２非円形部７６ｆの直線部７６ｇを第２スリット７７ｇに係合させる。この状態で操作部７７を揺動軸７６に装着すると、操作部７７が揺動軸７６に一体回転可能に係合する。最後にネジ部材８６をネジ孔７６ｉにねじ込むことにより、操作部７７が揺動軸７６に固定される。ここでは、操作部７７を揺動軸７６に差し込み、ネジ部材８６をねじ込むだけで、操作部７７を揺動軸７６に固定できる。このため、操作部７７を揺動軸７６に装着しやすくなる。これにより、ドラグ切換レバーの部品コスト及び組み立てコストを削減できる。
【００６６】
＜特徴＞
（Ａ）スピニングリールのドラグ切換装置９は、釣り糸を前方に繰り出すスピニングリールのリール本体２に装着されたスプール４を制動するフロントドラグ機構８の作動状態を切り換える。ドラグ切換装置９は、ドラグ切換レバー６８と、切換機構６９と、を備えている。ドラグ切換レバー６８は、揺動軸７６と、操作部７７と、を有し、ロック位置とロック位置から揺動した解除位置との間で揺動する。揺動軸７６は、リール本体２に左右方向に沿って配置され、リール本体２に回動自在に支持される。操作部７７は、先端に配置されるレバー部７７ａ、及びレバー部７７ａと一体形成されレバー部７７ａから２つに分かれてリール本体２の外側面に沿って先端と逆側の基端に向かって延び、揺動軸７６に一体揺動可能に装着される第１揺動装着部７７ｂ及び第２揺動装着部７７ｃを基端に有している。切換機構６９は、ドラグ切換レバー６８がロック位置に配置されるとフロントドラグ機構８を作動可能状態にし、ドラグ切換レバー６８が解除位置に配置されるとフロントドラグ機構８を作動不能状態にする。揺動軸７６は、一端に設けられる第１非円形部７６ｅと、他端に設けられる第２非円形部７６ｆと、を有している。第１揺動装着部７７ｂは、揺動軸７６の径方向外方から第１非円形部７６ｅに各別に係合可能な第１非円形凹部７７ｄを有し、第２揺動装着部７７ｃは、揺動軸７６の径方向外方から第２非円形部７６ｆに係合可能な第２非円形凹部７７ｅを有している。
【００６７】
このスピニングリールのドラグ切換装置９では、ドラグ切換レバー６８をロック位置に配置すると、フロントドラグ機構８が作動可能になり、解除位置に揺動させるとフロントドラグ機構８が作動不能になる。ドラグ切換レバー６８の操作部７７は、レバー部７７ａと、レバー部７７ａと一体形成された第１揺動装着部７７ｂ及び第２揺動装着部７７ｃを有している。このため、操作部７７は一つの部材で構成され、操作部７７の部品点数を削減できる。
【００６８】
また、操作部７７を揺動軸７６に装着するときには、操作部７７の第１揺動装着部７７ｂに設けられる第１非円形凹部７７ｄを揺動軸７６の一端に形成された第１非円形部７６ｅに係合させ、操作部７７の第２揺動装着部７７ｃを揺動軸７６の他端に形成された第２非円形部７６ｆに係合させるだけでよい。このため、操作部７７を揺動軸に装着しやすくなる。
【００６９】
ここでは、操作部７７を一つの部材で構成できるので操作部７７の部品点数を削減できる。また、操作部７７の第１非円形凹部７７ｄ及び第２非円形凹部７７ｅを揺動軸７６の第１非円形部７６ｅ及び第２非円形部７６ｆに係合させるだけで操作部７７を揺動軸７６に装着できるので、操作部７７を揺動軸７６に装着しやすくなる。これにより、部品コスト及び組み立てコストを削減できる。
【００７０】
（Ｂ）ドラグ切換装置９において、第１非円形部７６ｅ及び第２非円形部７６ｆは、互いに平行な一対の直線部７６ｇと、直線部７６ｇの端部を連結する一対の連結部７６ｈと、をそれぞれ有している。第１非円形凹部７７ｄ及び第２非円形凹部７７ｅは、直線部７６ｇに係合しかつ第１揺動装着部７７ｂ及び第２揺動装着部７７ｃの第２端の端部まで延びる第１スリット７７ｆ及び第２スリット７７ｇをそれぞれ有している。
【００７１】
この場合には、第１揺動装着部７７ｂ及び第２揺動装着部７７ｃは、第２端部に延びる第１スリット７７ｆ及び第２スリット７７ｇを各別に有している。これにより、軸方向外方から揺動軸７６に向けて第１揺動装着部７７ｂ及び第２揺動装着部７７ｃをスライドさせることにより、第１非円形部７６ｅ及び第２非円形部７６ｆに第１揺動装着部７７ｂ及び第２揺動装着部７７ｃを各別に係合させることができる。このため、操作部７７を揺動軸７６にさらに容易に装着できる。
【００７２】
（Ｃ）ドラグ切換装置９において、揺動軸７６は、一端の端面にネジ部材８６が螺合可能に形成されたネジ孔７６ｉを有している。第１非円形凹部７７ｄは貫通しており、ネジ孔７６ｉを外部に露出可能である。この場合には、ネジ部材８６により操作部７７を揺動軸７６に容易に固定できる。
【００７３】
ドラグ切換装置９において、第１非円形凹部７７ｄの軸方向の外側面には、ネジ部材８６の頭部を配置可能な凹んだ座面７７ｈが形成される。この場合には、ネジ部材８６の頭部が座面７７ｈに収納されて軸方向外方に突出しない。このため、釣り糸がネジ部材８６の頭部に引っ掛からない。
【００７４】
＜他の実施形態＞
以上、本発明の一実施形態について説明したが、本発明は上記実施形態に限定されるものではなく、発明の要旨を逸脱しない範囲で種々の変更が可能である。
【００７５】
（ａ）前記実施形態では、フロントドラグ機構８とリアドラグ機構７とをドラグ切換装置９により切り換えているが、本発明はこれに限定されない。例えば、フロントドラグ機構及びリアドラグ機構の少なくともいずれかの作動状態をドラグ切換機構により切り換えるようにしてもよい。
【００７６】
（ｂ）前記実施形態では、第１スリット及び第２スリットを第１揺動装着部及び第２揺動装着部に設けたが、第１スリット及び第２スリットを設けなくてもよい。また、いずれか一方にスリットを設けてもよい。この場合、第１揺動装着部及び第２揺動装着部の弾性を利用して揺動軸に装着すればよい。
【００７７】
（ｃ）前記実施形態では、操作部を金属製としたが、操作部は合成樹脂製であってもよい。
【００７８】
（ｄ）前記実施形態では、操作部７７のレバー部７７ａと第１揺動装着部７７ｂ及び第２揺動装着部７７ｃとを同じ材質で一体形成したが、本発明はこれに限定されない。例えば、レバー部を合成樹脂製（又は金属製）とし、第１揺動装着部及び第２揺動装着部を金属製（又は合成樹脂製）としてもよい。また、レバー部と第１揺動装着部及び第２揺動装着部とを異なる材質の金属製または異なる材質の合成樹脂製としてもよい。
【符号の説明】
【００７９】
２    リール本体
２ａ  リールボディ
４    スプール
８    フロントドラグ機構（第１ドラグ機構の一例）
９    ドラグ切換装置
６８    ドラグ切換レバー
６９    切換機構
７６    揺動軸
７６ｅ  第１非円形部
７６ｆ  第２非円形部
７７    操作部
７７ａ  レバー部
７７ｂ  第１揺動装着部
７７ｃ  第２揺動装着部
７７ｄ  第１非円形凹部
７７ｅ  第２非円形凹部
７７ｆ  第１スリット
７７ｇ  第２スリット
【図１】
0005624069.tif 000002
【図２】
0005624069.tif 000003
【図３】
0005624069.tif 000004
【図４】
0005624069.tif 000005
【図５】
0005624069.tif 000006
【図６】
0005624069.tif 000007